(57)【要約】      （修正有）【課題】放送コンテンツを視聴していないユーザに対して、当該放送コンテンツを視聴する動機付けを与える。【解決手段】通信制御サーバ３は、携帯端末から、携帯端末において放送コンテンツと連携する連携アプリケーションが実行されていることを示す実行情報を受信するとともに、放送コンテンツのレコメンドを受け付けたことを示すレコメンド情報を受信する受信部３３２と、レコメンド情報を受信すると、レコメンドに係るメッセージを通知する通知部３３３と、実行情報を送信した携帯端末の数を放送コンテンツの視聴数として計数する視聴数計数部３３４と、視聴数が所定数を超えたことに応じて連携アプリケーションを実行した携帯端末に特典を示す特典情報を送信する送信部３３５とを備える。【選択図】図４
2015188176.tif 000002
【特許請求の範囲】
【請求項１】
携帯端末から、前記携帯端末において放送コンテンツと連携する連携アプリケーションが実行されていることを示す実行情報を受信するとともに、前記放送コンテンツのレコメンドを受け付けたことを示すレコメンド情報を受信する受信部と、
前記レコメンド情報を受信すると、レコメンドに係るメッセージを通知する通知部と、
前記実行情報を送信した前記携帯端末の数を前記放送コンテンツの視聴数として計数する視聴数計数部と、
前記視聴数が所定数を超えたことに応じて前記連携アプリケーションを実行した前記携帯端末に特典を示す特典情報を送信する送信部と、
を備える通信制御装置。
【請求項２】
前記送信部は、前記連携アプリケーションを実行した前記携帯端末のうち、前記レコメンド情報を送信した携帯端末に前記特典情報を送信する、
請求項１に記載の通信制御装置。
【請求項３】
前記携帯端末は、複数のレコメンド種別のうち、すくなくとも一の種別のレコメンド情報を受け付け、
前記送信部は、前記レコメンドの種別に応じて前記特典情報が示す特典の内容を変化させる、
請求項１又は２に記載の通信制御装置。
【請求項４】
前記送信部は、前記連携アプリケーションを実行している前記携帯端末に前記視聴数を示す情報を送信する、
請求項１から３のいずれか１項に記載の通信制御装置。
【請求項５】
前記受信部は、前記携帯端末から前記レコメンド情報を受信するとともに、前記携帯端末のユーザの属性情報を受信し、
前記送信部は、前記連携アプリケーションを実行している前記携帯端末に、前記属性情報ごとの前記視聴数を示す情報を送信する、
請求項４に記載の通信制御装置。
【請求項６】
前記通知部及び前記送信部は、前記視聴数に応じて前記メッセージ及び前記特典の内容の少なくともいずれかを変化させる、
請求項１から５のいずれか１項に記載の通信制御装置。
【請求項７】
前記送信部は、所定時間当たりの前記視聴数に応じて前記メッセージ及び前記特典の内容の少なくともいずれかを変化させる、
請求項６に記載の通信制御装置。
【請求項８】
前記受信部は、前記連携アプリケーションにおいて所定の操作が行われたことを示す操作情報を前記実行情報として受信する、
請求項１から７のいずれか１項に記載の通信制御装置。
【請求項９】
前記受信部は、前記携帯端末から、当該携帯端末の位置を示す位置情報を受信し、
前記送信部は、前記携帯端末に、当該携帯端末から受信した位置情報が示す位置に関連する特典情報を送信する、
請求項１から８のいずれか１項に記載の通信制御装置。
【請求項１０】
前記受信部は、前記携帯端末から、当該携帯端末の移動履歴を示す移動履歴情報を受信し、
前記送信部は、前記携帯端末に、当該携帯端末から受信した移動履歴情報が示す位置に関連する特典情報を送信する、
請求項９に記載の通信制御装置。
【請求項１１】
前記送信部は、前記携帯端末に、前記連携アプリケーションに対応する前記放送コンテンツに関連する特典情報を送信する、
請求項１から１０のいずれか１項に記載の通信制御装置。
【請求項１２】
前記送信部は、前記携帯端末に、前記携帯端末のユーザの情報と、前記連携アプリケーションに対応する前記放送コンテンツを識別する識別情報と関連付けられる特典情報を送信する、
請求項１から１１のいずれか１項に記載の通信制御装置。
【請求項１３】
前記携帯端末のユーザごとの前記特典情報の配信条件を記憶する記憶部をさらに備え、
前記送信部は、前記携帯端末のうち、前記特典情報の前記配信条件を満たしているユーザの携帯端末に、当該特典情報を送信する、
請求項１から１２のいずれか１項に記載の通信制御装置。
【請求項１４】
前記通知部は、前記レコメンドに係るメッセージをソーシャルネットワークサービスを介して通知する、
請求項１から１３のいずれか１項に記載の通信制御装置。
【請求項１５】
前記通知部は、前記レコメンドに係るメッセージを前記連携アプリケーションを介して通知する、
請求項１から１４のいずれか１項に記載の通信制御装置。
【請求項１６】
携帯端末から、前記携帯端末において放送コンテンツと連携する連携アプリケーションが実行されていることを示す実行情報を受信するとともに、当該連携アプリケーションを介して前記放送コンテンツのレコメンドを受け付けたことを示すレコメンド情報を受信するステップと、
前記レコメンド情報を受信すると、ソーシャルネットワークサービスにおいてレコメンドに係るメッセージを通知するステップと、
前記実行情報を送信した前記携帯端末の数を前記放送コンテンツの視聴数として計数するステップと、
前記視聴数が所定数を超えたことに応じて前記連携アプリケーションを実行した前記携帯端末に特典情報を送信するステップと、
を備える通信制御方法。
【発明の詳細な説明】
【技術分野】
【０００１】
本発明は、通信制御装置及び通信制御方法に関する。
【背景技術】
【０００２】
従来、テレビ番組等の放送コンテンツにおける視聴率を向上させることが行われている。例えば、特許文献１には、携帯端末が、所定の放送コンテンツの放送中にテレビから放音された音響ＩＤを収音し、この音響ＩＤに基づいてインターネットサイトからクーポン等の情報を取得する方法が記載されている。このようにすることで、当該携帯端末のユーザは、放送コンテンツを視聴することでクーポン等の情報を取得できることから、当該放送コンテンツを視聴し、結果として視聴率が向上する。
【先行技術文献】
【特許文献】
【０００３】
【特許文献１】特開２０１２−２２７９２１号公報
【発明の概要】
【発明が解決しようとする課題】
【０００４】
しかしながら、クーポン等の情報を取得できるのは、放送コンテンツを閲覧している携帯端末のユーザに限られる。このため、当該放送コンテンツの存在を知らない他の携帯端末のユーザは、当該放送コンテンツを偶然閲覧することはあっても、クーポン等の情報を取得するために、当該放送コンテンツを積極的に視聴することができない。このように、特許文献１に記載された方法では、放送コンテンツの存在を知らない他の携帯端末のユーザを、当該放送コンテンツを視聴させるために誘導することができないという問題があった。
【０００５】
本発明は、このような問題に鑑みてなされたものであり、放送コンテンツを視聴していないユーザに対して、当該放送コンテンツを視聴する動機付けを与えることができる通信制御装置及び通信制御方法を提供することを目的とする。
【課題を解決するための手段】
【０００６】
本発明の第１の態様に係る通信制御装置は、携帯端末から、前記携帯端末において放送コンテンツと連携する連携アプリケーションが実行されていることを示す実行情報を受信するとともに、前記放送コンテンツのレコメンドを受け付けたことを示すレコメンド情報を受信する受信部と、前記レコメンド情報を受信すると、レコメンドに係るメッセージを通知する通知部と、前記実行情報を送信した前記携帯端末の数を前記放送コンテンツの視聴数として計数する視聴数計数部と、前記視聴数が所定数を超えたことに応じて前記連携アプリケーションを実行した前記携帯端末に特典を示す特典情報を送信する送信部と、を備える。
【０００７】
前記送信部は、前記連携アプリケーションを実行した前記携帯端末のうち、前記レコメンド情報を送信した携帯端末に前記特典情報を送信してもよい。
前記携帯端末は、複数のレコメンド種別のうち、すくなくとも一の種別のレコメンド情報を受け付け、前記送信部は、前記レコメンドの種別に応じて前記特典情報が示す特典の内容を変化させてもよい。
【０００８】
前記送信部は、前記連携アプリケーションを実行している前記携帯端末に前記視聴数を示す情報を送信してもよい。
前記受信部は、前記携帯端末から前記レコメンド情報を受信するとともに、前記携帯端末のユーザの属性情報を受信し、前記送信部は、前記連携アプリケーションを実行している前記携帯端末に、前記属性情報ごとの前記視聴数を示す情報を送信してもよい。
【０００９】
前記送信部は、前記視聴数に応じて前記メッセージ及び前記特典の内容の少なくともいずれかを変化させてもよい。
前記送信部は、所定時間当たりの前記視聴数に応じて前記メッセージ及び前記特典の内容の少なくともいずれかを変化させてもよい。
【００１０】
前記受信部は、前記連携アプリケーションにおいて所定の操作が行われたことを示す操作情報を前記実行情報として受信してもよい。
前記受信部は、前記携帯端末から、当該携帯端末の位置を示す位置情報を受信し、前記送信部は、前記携帯端末に、当該携帯端末から受信した位置情報が示す位置に関連する特典情報を送信してもよい。
【００１１】
前記受信部は、前記携帯端末から、当該携帯端末の移動履歴を示す移動履歴情報を受信し、前記送信部は、前記携帯端末に、当該携帯端末から受信した移動履歴情報が示す位置に関連する特典情報を送信してもよい。
前記送信部は、前記携帯端末に、前記連携アプリケーションに対応する前記放送コンテンツに関連する特典情報を送信してもよい。
【００１２】
前記送信部は、前記携帯端末に、前記携帯端末のユーザの情報と、前記連携アプリケーションに対応する前記放送コンテンツを識別する識別情報と関連付けられる特典情報を送信してもよい。
前記通信制御装置は、前記携帯端末のユーザごとの前記特典情報の配信条件を記憶する記憶部をさらに備え、前記送信部は、前記携帯端末のうち、前記特典情報の前記配信条件を満たしているユーザの携帯端末に、当該特典情報を送信してもよい。
【００１３】
また、前記通知部は、前記レコメンドに係るメッセージをソーシャルネットワークサービスを介して通知してもよい。また、前記通知部は、前記レコメンドに係るメッセージを前記連携アプリケーションを介して通知してもよい。
【００１４】
本発明の第２の態様に係る通信制御方法は、携帯端末から、前記携帯端末において放送コンテンツと連携する連携アプリケーションが実行されていることを示す実行情報を受信するとともに、当該連携アプリケーションを介して前記放送コンテンツのレコメンドを受け付けたことを示すレコメンド情報を受信するステップと、前記レコメンド情報を受信すると、ソーシャルネットワークサービスにおいてレコメンドに係るメッセージを通知するステップと、前記実行情報を送信した前記携帯端末の数を前記放送コンテンツの視聴数として計数するステップと、前記視聴数が所定数を超えたことに応じて前記連携アプリケーションを実行した前記携帯端末に特典情報を送信するステップと、を備える。
【発明の効果】
【００１５】
本発明によれば、放送コンテンツを視聴していないユーザに対して、当該放送コンテンツを視聴する動機付けを与えることができるという効果を奏する。
【図面の簡単な説明】
【００１６】
【図１】第１の実施形態に係る通信制御システムの構成を示す図である。
【図２】第１の実施形態に係る携帯端末及びテレビ受信機の機能構成を示すブロック図である。
【図３】連携アプリケーションの表示画面の一例である。
【図４】第１の実施形態に係る通信制御サーバの機能構成を示すブロック図である。
【図５】第１の実施形態に係る通信制御システムにおいて携帯端末に特典を付与するまでの処理の流れを示すシーケンス図である。
【図６】第２の実施形態に係る連携アプリケーションの表示画面の一例を示す図である。
【図７】第４の実施形態に係る携帯端末及びテレビ受信機の機能構成を示すブロック図である。
【図８】第４の実施形態に係る記憶部に記憶されている配信条件情報の一例を示す図である。
【図９】第４の実施形態に係る特典情報としてのポイントを付与するためのページ画面の一例を示す図である。
【図１０】第４の実施形態に係る携帯端末のユーザに付与されるポイントを管理するポイント管理情報を示す図である。
【発明を実施するための形態】
【００１７】
＜第１の実施形態＞
［通信制御システムＳの概要］
図１は、第１の実施形態に係る通信制御システムＳの構成を示す図である。通信制御システムＳは、放送コンテンツサーバ１と、Ｗｅｂコンテンツサーバ２と、通信制御装置としての通信制御サーバ３と、ソーシャルネットワークサービス（Social Networking Service）サーバ４と、携帯端末５（５Ａ、５Ｂ）と、テレビ受信機６（６Ａ、６Ｂ）と、ディスプレイ７（７Ａ、７Ｂ）とを備える。放送コンテンツサーバ１、Ｗｅｂコンテンツサーバ２、通信制御サーバ３及びソーシャルネットワークサービスサーバ４は、インターネット等のネットワーク８に接続されている。また、携帯端末５は、携帯電話網の基地局９、又はＷｉ−Ｆｉ（登録商標）等の無線通信回線を介してネットワーク８に接続されている。以下、ソーシャルネットワークサービスをＳＮＳという。
【００１８】
本実施形態において、携帯端末５Ａ、テレビ受信機６Ａ及びディスプレイ７Ａが第１の家ａにあり、携帯端末５Ｂ、テレビ受信機６Ｂ及びディスプレイ７Ｂが第２の家ｂにあることを想定している。図１には、それぞれの家に１つの携帯端末５がある場合が示されているが、それぞれの家に２つ以上の携帯端末５があってもよい。また、図１においては、２つの家（第１の家ａ、第２の家ｂ）を示しているが、より多くの家の携帯端末５が放送コンテンツサーバ１、Ｗｅｂコンテンツサーバ２、通信制御サーバ３及びＳＮＳサーバ４に接続可能であってもよい。
【００１９】
放送コンテンツサーバ１は、例えば放送局のサーバである。放送コンテンツサーバ１は、テレビ受信機６が受信してディスプレイ７に表示することができる放送コンテンツを提供する。放送コンテンツサーバ１は、ネットワーク８を介してテレビ受信機６に放送コンテンツを提供してもよく、放送波を介してテレビ受信機６に放送コンテンツを提供してもよい。ここで、放送コンテンツは、放送番組やＶＯＤ（Video On Demand）配信による番組で放映される映像や音声を含んで構成される。
【００２０】
Ｗｅｂコンテンツサーバ２は、携帯端末５を始めとする情報端末がブラウザによって閲覧することができるＷｅｂコンテンツを提供する。Ｗｅｂコンテンツは、例えばＨＴＭＬ５等により記述されたテキスト、画像又は映像を含むコンテンツである。Ｗｅｂコンテンツは、例えば、放送とインターネットとを融合させたサービスであるハイブリッドキャスト（登録商標）の端末連携サービスに伴う、放送コンテンツと連携する連携アプリケーションである。Ｗｅｂコンテンツを表示するブラウザとしては、一般的なブラウザだけでなく、テレビ受信機６と連携して機能する、連携アプリケーションを携帯端末５で実行させるためのコンパニオンアプリも含まれる。このコンパニオンアプリは、例えばリモコンアプリとしても機能し、携帯端末５からテレビ受信機６の操作を可能にする。
【００２１】
通信制御サーバ３は、Ｗｅｂコンテンツサーバ２の一種であり、携帯端末５に連携アプリケーションを提供する。通信制御サーバ３は、連携アプリケーションを実行している携帯端末５の数を放送コンテンツの視聴数として計数し、当該視聴数に基づいて、連携アプリケーションを実行した携帯端末５に特典情報を送信する。
【００２２】
ＳＮＳサーバ４は、ネットワーク上で、友人やグループ等のつながりをサポートするＳＮＳを提供するサーバである。例えば、ＳＮＳには、ユーザから投稿されたメッセージ（つぶやき）を、当該ユーザと関連する他のユーザに発信するサービス（ミニブログ）や、所定のコミュニティ上でユーザの日記やコメントを公開するサービスが含まれる。本実施形態では、ＳＮＳサーバ４が、投稿されたメッセージを他のユーザに発信するサービスを提供するものとして説明を進める。
【００２３】
携帯端末５は、スマートフォン、携帯電話機、タブレット、及びゲーム機等である。携帯端末５は、無線通信回線を介してテレビ受信機６との間で情報の送受信をするとともに、無線通信回線、基地局９及びネットワーク８を介して、Ｗｅｂコンテンツサーバ２、通信制御サーバ３、及びＳＮＳサーバ４との間で情報の送受信をすることができる。具体的には、携帯端末５は、ハイブリッドキャスト（Ｈｙｂｒｉｄｃａｓｔ（登録商標））に対応したテレビ受信機６から、放送コンテンツに対応する連携アプリケーションを起動するための指示情報を受信することができる。この指示情報には、連携アプリケーションを提供するＷｅｂコンテンツサーバ２又は通信制御サーバ３のアドレスが含まれている。携帯端末５は、この指示情報を受信すると、指示情報に含まれるアドレスに基づいてＷｅｂコンテンツサーバ２又は通信制御サーバ３にアクセスし、テレビ受信機６が受信した放送コンテンツに関連する連携アプリケーションを取得して実行することができる。
【００２４】
テレビ受信機６は、放送コンテンツサーバ１から配信される放送コンテンツを受信するチューナーを有するセットトップボックス（ＳＴＢ）である。テレビ受信機６は、ネットワーク８又は放送波を介して、放送コンテンツサーバ１から放送コンテンツを受信する。テレビ受信機６とディスプレイ７とは、例えばＨＤＭＩ（High-Definition Multimedia Interface）（登録商標）ケーブルにより接続されており、テレビ受信機６が受信した放送コンテンツがディスプレイ７に表示される。また、テレビ受信機６は、携帯端末５と無線通信を行い、携帯端末５の操作指示に基づいて、ディスプレイ７に表示させる放送コンテンツを切り替える。また、テレビ受信機６は、連携アプリケーションの取得を指示する指示情報を、携帯端末５に送信する。
【００２５】
［本発明の機能構成］
続いて、図２を参照して、携帯端末５及びテレビ受信機６の構成について説明する。図２は、携帯端末５及びテレビ受信機６の機能構成を示すブロック図である。
【００２６】
［テレビ受信機６の構成］
初めに、テレビ受信機６は、無線部６１と、記憶部６２と、通信部６３と、制御部６４とを備える。
【００２７】
無線部６１は、Ｗｉ−Ｆｉ等の無線通信回線を介して他の端末装置との間で通信を行う。一例として、無線部６１は、無線通信回線を介して複数の携帯端末５のそれぞれと通信可能に接続され、これらの携帯端末５に指示情報を送信する。なお、無線部６１は、通信部６３を介して取得したコンテンツを携帯端末５に送信してもよい。
記憶部６２は、例えば、ＲＯＭ及びＲＡＭ等により構成される。記憶部６２は、テレビ受信機６を機能させるための各種プログラムや各種データを記憶する。
【００２８】
通信部６３は、放送コンテンツサーバ１から提供される放送コンテンツを受信すると、当該放送コンテンツを制御部６４に出力する。また、通信部６３は、インターネットを介して外部機器と接続され、外部機器との間で所定の通信を行う。一例として、通信部６３は、ネットワーク８を介して放送コンテンツサーバ１からハイブリッドキャストに対応する放送コンテンツを取得するとともに、Ｗｅｂコンテンツサーバ２から当該放送コンテンツに対応するＨＴＭＬアプリを取得する。
【００２９】
制御部６４は、例えば、ＣＰＵにより構成される。制御部６４は、記憶部６２に記憶されている各種プログラムを実行することにより、テレビ受信機６に係る機能を統括的に制御する。制御部６４は、携帯端末５に対して放送コンテンツと連携する連携アプリケーションの取得を指示する指示情報を取得すると、当該指示情報を携帯端末５に送信する。具体的には、制御部６４は、通信部６３が受信した、ハイブリッドキャストに対応する放送コンテンツに対応するＨＴＭＬアプリに含まれている指示情報を抽出し、当該指示情報を携帯端末５に送信する。
【００３０】
［携帯端末５の構成］
携帯端末５は、無線部５１と、表示部５２と、記憶部５３と、制御部５４とを備える。
無線部５１は、Ｗｉ−Ｆｉ等の無線通信回線を介して他の端末装置との間で所定の通信を行う。例えば、無線部５１は、無線通信回線を介してテレビ受信機６と通信を行ったり、基地局９及びネットワーク８を介してＷｅｂコンテンツサーバ２又は通信制御サーバ３と通信を行ったりする。
【００３１】
表示部５２は、例えば、液晶ディスプレイや有機ＥＬ（Electro-Luminescence）ディスプレイ等により構成される。表示部５２は、制御部５４の制御に応じてコンパニオンアプリや連携アプリケーションの表示画面を表示する。
記憶部５３は、例えば、ＲＯＭ及びＲＡＭ等により構成される。記憶部５３は、携帯端末５を機能させるための各種プログラムや各種データを記憶する。
【００３２】
制御部５４は、例えば、ＣＰＵにより構成される。制御部５４は、記憶部５３に記憶されている各種プログラムを実行することにより、携帯端末５に係る機能を統括的に制御し、実行部５４１及びレコメンド受付部５４２として機能する。
【００３３】
実行部５４１は、例えば、コンパニオンアプリの１機能である。実行部５４１は、無線部５１を介してテレビ受信機６から送信された指示情報を受信すると、受信した指示情報に含まれている、連携アプリケーションの格納先にアクセスする。ここで、連携アプリケーションは、放送コンテンツをレコメンドする機能、放送コンテンツの視聴数を表示する機能、及び特典情報を受信する機能を有しており、通信制御サーバ３に格納されているものとする。実行部５４１は、通信制御サーバ３から当該連携アプリケーションを取得して実行する。
【００３４】
実行部５４１は、連携アプリケーションを実行したことに応じて、連携アプリケーションを実行したことを示す実行情報を通信制御サーバ３に送信する。ここで、実行情報には、連携アプリケーションを実行した携帯端末５を特定可能とするために、携帯端末５の識別情報が含まれている。なお、実行情報には、携帯端末５の識別情報の代わりに、携帯端末５のユーザの識別情報としてのユーザＩＤが含まれるようにしてもよい。
【００３５】
図３は、連携アプリケーションが実行されている状態の一例を示す図である。例えば、図３に示す連携アプリケーションの表示画面には、テレビ受信機６に現在表示されている放送コンテンツの名称と、現在の視聴数と、特典情報を付与するための条件と、放送コンテンツをレコメンドするための画像として、「つぶやく」ボタン、及び「いいね！」ボタンが表示されている。「つぶやく」ボタンが押されると、レコメンド受付部５４２は、所定文字数以内（例えば、１４０文字以内）のメッセージの入力を受け付ける画面を表示させる。なお、本実施形態では、連携アプリケーションの表示画面に、「つぶやく」ボタン、及び「いいね！」ボタンを表示させることとしたが、これに限らない。例えば、コンパニオンアプリの表示画面に「つぶやく」ボタン、及び「いいね！」ボタンを表示させるようにしてもよい。
【００３６】
実行部５４１は、連携アプリケーションの表示画面において所定の操作が行われたことを示す操作情報を実行情報として送信してもよい。例えば、実行部５４１は、「つぶやく」ボタン又は「いいね！」ボタンが押されたことに応じて、実行情報を送信してもよい。このようにすることで、通信制御サーバ３において、連携アプリケーションを操作したユーザを、放送コンテンツに関心を持ちながら閲覧しているユーザと判定して、関心があるユーザの視聴数を計数することができる。
【００３７】
レコメンド受付部５４２は、実行部５４１が連携アプリケーションを実行している際に放送コンテンツをレコメンドする操作として、レコメンドするための画像に対する操作を受け付けると、通信制御サーバ３にレコメンド情報を送信する。具体的には、レコメンド受付部５４２は、「いいね！」ボタンの操作を受け付けたことに応じて、「いいね！」ボタンが押されたことを示す第１レコメンド情報を通信制御サーバ３に送信する。また、レコメンド受付部５４２は、「つぶやく」ボタンの操作を受け付け、さらに、メッセージの入力を受け付けたことに応じて、「つぶやく」ボタンが押されたことを示し、入力されたメッセージを含む第２レコメンド情報を通信制御サーバ３に送信する。ここで、第１レコメンド情報及び第２レコメンド情報には、携帯端末５を識別する識別情報が含まれている。
【００３８】
なお、レコメンド受付部５４２は、通信制御サーバ３にレコメンド情報を送信することとしたが、これに限らず、テレビ受信機６を介してレコメンド情報を送信するようにしてもよい。例えば、レコメンド受付部５４２が、第１レコメンド情報及び第２レコメンド情報をテレビ受信機６に送信し、テレビ受信機６において実行されているＨＴＭＬアプリが、通信部６３を介して第１レコメンド情報及び第２レコメンド情報を通信制御サーバ３に送信するようにしてもよい。
【００３９】
［通信制御サーバ３の構成］
続いて、図４を参照して、通信制御サーバ３の構成について説明する。図４は、通信制御サーバ３の機能構成を示すブロック図である。
【００４０】
通信制御サーバ３は、通信部３１と、記憶部３２と、制御部３３とを備える。
通信部３１は、ネットワーク８を介して他の端末装置との間で通信を行う。一例として、通信部３１は、携帯端末５に連携アプリケーションを送信するとともに、放送コンテンツの視聴数を示す視聴数情報、及び特典情報を送信する。
【００４１】
記憶部３２は、例えば、ＲＯＭ及びＲＡＭ等により構成される。記憶部３２は、通信制御サーバ３を機能させるための各種プログラムや各種データを記憶する。また、記憶部３２は、携帯端末５に送信する連携アプリケーション及び携帯端末５のユーザに付与する特典情報を記憶する。
【００４２】
ここで、特典情報は、例えば、連携アプリケーションに対応する放送コンテンツに関連する特典情報であってもよい。特典情報を放送コンテンツに関連付けることにより、当該放送コンテンツを閲覧する携帯端末５のユーザにとって関心がある可能性が高い特典情報を提供することができる。また、記憶部３２は、特典情報を記憶せずに、特典情報の格納先を示すアドレスを記憶してもよい。
【００４３】
制御部３３は、例えば、ＣＰＵにより構成される。制御部３３は、記憶部３２に記憶されている各種プログラムを実行することにより、通信制御サーバ３に係る機能を統括的に制御する。制御部３３は、アプリ送信部３３１と、受信部３３２と、通知部３３３と、視聴数計数部３３４と、送信部３３５とを備える。
【００４４】
アプリ送信部３３１は、携帯端末５から連携アプリケーションの取得要求を受け付けると、記憶部３２に記憶されている連携アプリケーションを当該携帯端末５に送信する。
受信部３３２は、携帯端末５から、アプリ送信部３３１が送信した連携アプリケーションが実行されていることを示す実行情報を受信するとともに、当該連携アプリケーションを介して放送コンテンツのレコメンドを受け付けたことを示すレコメンド情報を受信する。
【００４５】
通知部３３３は、受信部３３２がレコメンド情報を受信すると、ＳＮＳサーバ４にアクセスし、ＳＮＳにおいてレコメンドに係るメッセージを通知する。例えば、通知部３３３は、ＳＮＳサーバ４に、第１レコメンド情報を送信したユーザの数を含むメッセージとして、「現在３００人が番組を評価しています」というメッセージを投稿したり、特典情報が付与されるために必要な残りの人数を含むメッセージとして「あと○○人の視聴で特典が付与されます」といったメッセージを投稿したりする。なお、本実施形態では、通知部３３３が、ＳＮＳサーバ４にアクセスし、ＳＮＳにおいてレコメンドに係るメッセージを通知したが、これに限定されない。例えば、携帯端末５のユーザが、携帯端末５を操作して、ＳＮＳサーバ４に直接アクセスし、レコメンドに係るメッセージを通知するようにしてもおい。このようにすることで、携帯端末５のユーザは、視聴率の向上に直接貢献することができる。
【００４６】
また、通知部３３３は、携帯端末５において入力されたメッセージを含む第２レコメンド情報を受信すると、ＳＮＳサーバ４にアクセスし、当該メッセージを投稿する。なお、通知部３３３は、単位時間内に受信した第２レコメンド情報が予め定められた数以上である場合、投稿数が多いと判定し、受信した複数の第２レコメンド情報のメッセージから、ランダムに選択したメッセージをＳＮＳサーバ４に投稿してもよい。
視聴数計数部３３４は、放送コンテンツの放送中に実行情報を送信した携帯端末５の数を放送コンテンツの視聴数として計数する。
【００４７】
送信部３３５は、連携アプリケーションを実行している携帯端末５に対して、視聴数計数部３３４が計数した視聴数を示す情報を送信する。携帯端末５の実行部５４１は、受信した視聴数を示す情報に基づいて、連携アプリケーションに視聴数を表示させる。これにより、携帯端末５のユーザに現在の視聴数を把握させることができる。なお、送信部３３５は、連携アプリケーションに対応する放送コンテンツを表示させているテレビ受信機６に視聴数を示す情報を送信してもよい。そして、テレビ受信機６において実行されているＨＴＭＬアプリが、ディスプレイ７の表示画面に視聴数を表示させてもよい。これにより、携帯端末５において連携アプリケーションを実行していないユーザに対しても現在の視聴数を把握させることができる。
【００４８】
また、送信部３３５は、視聴数計数部３３４が計数した視聴数が所定数を超えたことに応じて、連携アプリケーションを実行した携帯端末５に特典情報を付与する。具体的には、送信部３３５は、視聴数が所定数を超えると、連携アプリケーションを実行したことを示す実行情報を送信した携帯端末５に対して、記憶部３２に記憶されている特典情報を送信する。ここで、特典情報は、例えば、クーポン等である。
【００４９】
なお、送信部３３５は、連携アプリケーションを実行した携帯端末５のうち、レコメンド情報を送信した携帯端末５に限定して特典情報を送信するようにしてもよい。このようにすることで、携帯端末５のユーザに、「いいね！」ボタンを押させたり、メッセージを入力させたりする動機付けを与えることができる。これにより、ＳＮＳサーバ４において提供されるＳＮＳにおいて、放送コンテンツに関するメッセージを増加させ、結果として視聴数を増加させることができる。また、送信部３３５は、連携アプリケーションを実行した携帯端末５の全てに対して特典情報を送信するとともに、レコメンド情報を送信した携帯端末５に限定してさらに特典情報を送信するようにしてもよい。
【００５０】
また、送信部３３５は、レコメンドの種別に応じて特典情報が示す特典の内容を変化させてもよい。例えば、メッセージを入力して放送コンテンツをレコメンドする場合、「いいね！」ボタンが押してレコメンドする場合に比べて手間がかかる。このため、送信部３３５は、入力されたメッセージを含む第２レコメンド情報を送信した携帯端末５に付与する特典の内容を、「いいね！」ボタンが押されたことを示す第１レコメンド情報を送信した携帯端末５に付与する特典の内容に比べて相対的に価値の高いものとしてもよい。例えば、特典情報が、ポイントサービスのポイントである場合、送信部３３５は、第２レコメンド情報を送信した携帯端末５に付与するポイントを、第１レコメンド情報を送信した携帯端末５に付与するポイントに比べて増加させるようにしてもよい。
【００５１】
また、通知部３３３及び送信部３３５は、視聴数に応じて、ＳＮＳサーバ４に投稿するメッセージの内容及び携帯端末５に付与する特典情報が示す特典の内容の少なくともいずれかを変化させてもよい。例えば、送信部３３５は、特典情報を付与するのに必要な視聴数に対する、視聴数計数部３３４が最終的に計数した視聴数の割合が所定の割合を超えた場合、特典情報が示す特典の内容を、相対的に価値の高いものに変更してもよい。また、通知部３３３は、視聴数計数部３３４が計数した視聴数が、特典情報を付与するのに必要な視聴数に近づいた場合、「目標達成まであとＸＸ人です！」等のメッセージをＳＮＳサーバ４に投稿し、放送コンテンツに係る投稿を盛り上げるようにしてもよい。
【００５２】
なお、通知部３３３は、放送コンテンツに係る投稿を盛り上げるためのメッセージを、ＳＮＳサーバ４にメッセージを投稿したが、これに限らない。例えば、通知部３３３が、携帯端末５に当該メッセージを送信し、連携アプリケーションを介して当該メッセージを通知させたり、テレビ受信機６に当該メッセージを送信し、テレビ受信機６で実行しているＨＴＭＬアプリを介して当該メッセージを通知させたりしてもよい。また、連携アプリケーション又はテレビ受信機６で実行しているＨＴＭＬアプリが、ＳＮＳサーバ４にアクセスし、放送コンテンツに係るメッセージを取得して表示させてもよい。この場合、連携アプリケーション又はＨＴＭＬアプリは、放送コンテンツに係るメッセージを特定するために、放送コンテンツを示す特定のタグが付されているメッセージのみ取得するようにしてもよい。
【００５３】
また、送信部３３５は、所定時間当たりの視聴数に応じて、ＳＮＳサーバ４に投稿するメッセージの内容及び携帯端末５に付与する特典情報が示す特典の内容の少なくともいずれかを変化させてもよい。例えば、単位時間当たりの視聴数（瞬間視聴数）が予め定められた所定数を超えたことに応じて、特典情報をさらに付与するようにしてもよい。
【００５４】
［通信制御システムＳの処理］
続いて、図５を参照して、通信制御システムＳにおいて視聴数を測定する処理の流れについて説明する。図５は、第１の実施形態に係る通信制御システムＳにおいて携帯端末５に特典を付与するまでの処理の流れを示すシーケンス図である。なお、図６に示すシーケンスでは、テレビ受信機６及び携帯端末５をそれぞれ１台ずつ示しているが、実際には、複数のテレビ受信機６及び携帯端末５において同様の処理が行われるものとする。
【００５５】
まず、テレビ受信機６の制御部６４は、ハイブリッドキャストに対応する放送コンテンツから指示情報を取得すると、携帯端末５に対して、当該指示情報を送信する。ここで、指示情報が示す連携アプリケーションの格納先は、通信制御サーバ３を示しているものとする。
【００５６】
続いて、携帯端末５の実行部５４１が、テレビ受信機６から指示情報を受信すると、実行部５４１は、当該指示情報に基づいて、通信制御サーバ３から連携アプリケーションを取得して実行する（Ｓ１）。続いて、実行部５４１は、連携アプリケーションを実行したことを示す実行情報を通信制御サーバ３に送信する。
【００５７】
続いて、通信制御サーバ３の視聴数計数部３３４は、携帯端末５から受信した実行情報を計数することにより、放送コンテンツの視聴数を測定する（Ｓ２）。送信部３３５は、測定された視聴数を示す視聴数情報を携帯端末５に送信する。ここで、送信部３３５は、定期的に視聴数情報を携帯端末５に送信するようにしてもよい。携帯端末５の実行部５４１は、視聴数情報を受信すると、視聴数を連携アプリケーションの表示画面に表示させる（Ｓ３）。
【００５８】
続いて、携帯端末５のレコメンド受付部５４２は、連携アプリケーションにおいて、放送コンテンツをレコメンドする操作が行われたか否かを判定する（Ｓ４）。レコメンド受付部５４２は、レコメンドする操作が行われたと判定すると、レコメンド情報を通信制御サーバ３に送信する。
【００５９】
続いて、通信制御サーバ３の通知部３３３は、受信部３３２がレコメンド情報を受信すると、ＳＮＳサーバ４にアクセスし、レコメンドに係るメッセージを投稿する（Ｓ５）。
続いて、通信制御サーバ３の送信部３３５は、視聴数計数部３３４が計数した視聴数が所定数を超えたか否かを判定する（Ｓ６）。送信部３３５は、視聴数が所定数を超えたと判定すると、連携アプリケーションを実行した携帯端末５、すなわち、実行情報を送信した携帯端末５に特典情報を送信する。
【００６０】
なお、送信部３３５は、実行情報の受信時刻に基づいて、視聴数が所定数を超える前に連携アプリケーションを実行した携帯端末５に限定して特典情報を送信してもよい。また、送信部３３５は、レコメンド情報の受信時刻に基づいて、視聴数が所定数を超える前にレコメンド情報を送信した携帯端末５に限定して特典情報を送信してもよい。また、送信部３３５は、放送コンテンツを最後まで視聴させるために、放送コンテンツの終了時に、連携アプリケーションを実行している携帯端末５に限定して特典情報を送信してもよい。
【００６１】
携帯端末５の制御部５４は、特典情報を受信すると、当該特典情報を記憶部５３に記憶させる（Ｓ７）。なお、制御部５４は、受信した特典情報が示す特典を表示部５２に表示し、携帯端末５のユーザに特典が付与されたことを通知するようにしてもよい。
【００６２】
［第１の実施形態における効果］
以上のとおり、第１の実施形態に係る通信制御サーバ３は、携帯端末５から連携アプリケーションが実行されていることを示す実行情報を受信するとともに、当該連携アプリケーションを介して放送コンテンツのレコメンドを受け付けたことを示すレコメンド情報を受信し、ＳＮＳにおいてレコメンドに係るメッセージを通知する。
【００６３】
ＳＮＳサーバ４に投稿されたメッセージは、放送コンテンツを視聴しているか否かにかかわらず、ＳＮＳサーバ４が提供するＳＮＳを利用しているユーザの携帯端末５に通知される。これにより、放送コンテンツを視聴していない携帯端末５のユーザも、当該放送コンテンツがレコメンドされていることを知ることができる。また、通信制御サーバ３が、視聴数が所定数を超えると、連携アプリケーションを実行した携帯端末５に特典情報を付与することにより、携帯端末５のユーザは、特典情報を取得するために放送コンテンツを閲覧しようとする。よって、通信制御サーバ３は、放送コンテンツを視聴していないユーザに対して、当該放送コンテンツを視聴する動機付けを与えることができる。これにより、通信制御サーバ３は、放送コンテンツの視聴数及び視聴率を向上させることができる。
【００６４】
＜第２の実施形態＞
続いて、第２の実施形態について説明する。第１の実施形態では、通信制御サーバ３は、連携アプリケーションを実行している携帯端末５に視聴数を示す情報を送信する例について説明した。これに対し、第２の実施形態では、通信制御サーバ３が、携帯端末５のユーザの属性ごとに視聴数を計数し、当該視聴数を通知する点で第１の実施形態と異なる。
【００６５】
第２の実施形態において、通信制御サーバ３の受信部３３２は、携帯端末５からレコメンド情報を受信するとともに、携帯端末５のユーザの属性情報を受信する。ここで、ユーザの属性情報とは、例えば、ユーザの性別、年代、趣味、居住している地域等である。なお、受信部３３２は、携帯端末５において登録されているプロフィール情報をユーザの属性情報として取得してもよい。
【００６６】
視聴数計数部３３４は、属性情報ごとの視聴数を計数する。
送信部３３５は、連携アプリケーションを実行している携帯端末５に、属性情報ごとの視聴数を示す情報を送信する。
携帯端末５の実行部５４１は、属性情報ごとの視聴数を示す情報を受信すると、連携アプリケーションに当該視聴数を表示させる。図６は、第２の実施形態に係る連携アプリケーションの表示画面の一例を示す図である。図６では、属性情報の一例として、性別ごとに現在の視聴数が表示されていることが確認できる。なお、実行部５４１は、受信した属性情報ごとの視聴数のうち、ユーザの属性情報に対応する視聴数のみ表示させたり、複数の属性情報のそれぞれの視聴数を表示させたりしてもよい。
【００６７】
［第２の実施形態における効果］
以上のとおり、第２の実施形態に係る通信制御サーバ３は、例えば、属性情報ごとの視聴数に基づいて特典情報を付与するようにすることで、携帯端末５のユーザに、自身の属性情報に対応する視聴数を増加させるためにレコメンド情報を送信する動機付けを高めさせることができる。
【００６８】
＜第３の実施形態＞
続いて、第３の実施形態について説明する。第３の実施形態では、通信制御サーバ３は、連携アプリケーションを実行した携帯端末５から位置情報を受信し、当該位置情報に対応する特典情報を当該携帯端末５に送信する点で第１の実施形態と異なる。このようにすることで、通信制御サーバ３は、携帯端末５のユーザとの関連性が高い特典情報を付与することができる。
【００６９】
第３の実施形態において、携帯端末５の実行部５４１は、連携アプリケーションを実行したことに応じて、連携アプリケーションを実行したことを示す実行情報を通信制御サーバ３に送信するとともに、携帯端末５の現在位置を示す位置情報を通信制御サーバ３に送信する。ここで、位置情報は、例えば緯度経度情報である。
通信制御サーバ３の受信部３３２は、携帯端末５から実行情報を受信するとともに、当該携帯端末５の位置を示す位置情報を受信する。
【００７０】
送信部３３５は、視聴数計数部３３４が計数した視聴数が所定数を超えたことに応じて、連携アプリケーションを実行した携帯端末５のそれぞれに対して、当該携帯端末５の位置に関連する特典情報を送信する。具体的には、記憶部３２に、地域を示す地域情報と、特典情報とを関連付けて記憶しておく。ここで、地域情報は、緯度経度の範囲情報である。送信部３３５は、視聴数が所定数を超えたことに応じて、連携アプリケーションを実行した携帯端末５のそれぞれに対して、当該携帯端末５から受信した位置情報に基づいて、当該携帯端末５に送信する特典情報を特定する。そして、送信部３３５は、特定した特典情報を当該携帯端末５に送信する。
【００７１】
なお、送信部３３５は、携帯端末５から受信した位置情報に基づいて特典情報を特定することとしたが、これに限らない。例えば、受信部３３２が、携帯端末５から、当該携帯端末５の移動履歴を示す移動履歴情報を受信し、送信部３３５が、携帯端末５から受信した移動履歴情報が示す位置に関連する特典情報を送信するようにしてもよい。ここで、移動履歴情報は、複数の位置情報と、当該位置情報が示す位置に携帯端末５が存在していた時間とを関連付けた情報である。送信部３３５は、例えば、移動履歴情報に基づいて、携帯端末５のユーザがよく訪問する位置を特定し、当該位置に関連する特定情報を携帯端末５に送信するようにしてもよい。例えば、送信部３３５は、移動履歴情報に基づいて、携帯端末５のユーザの通勤経路を特定し、当該通勤経路に存在する店舗のクーポンを特典情報として当該携帯端末５に送信する。
【００７２】
また、受信部３３２が、携帯端末５から、当該端末において通信を行っているＷｉ−ＦｉのアクセスポイントのＳＳＩＤ（Service Set Identifier）を受信し、送信部３３５が、携帯端末５から受信したＳＳＩＤに関連する特典情報を送信するようにしてもよい。このようにすることで、通信制御サーバ３は、アクセスポイントが設置されている位置に対応する特典情報を付与することができる。例えば、携帯端末５のユーザが駅構内において放送コンテンツを視聴し、放送コンテンツのレコメンド情報を送信する際に、駅構内に設置されている公衆アクセスポインのＳＳＩＤを通信制御サーバ３に送信することで、通信制御サーバ３は、当該携帯端末５に対して当該駅に対応する特典情報を付与することができる。
【００７３】
［第３の実施形態における効果］
以上のとおり、第３の実施形態に係る通信制御サーバ３は、携帯端末５の位置を示す位置情報又は移動履歴情報に基づいて特典情報を付与するので、携帯端末５のユーザとの関連性が高い特典情報を付与することができる。
【００７４】
＜第４の実施形態＞
続いて、第４の実施形態について説明する。第４の実施形態では、通信制御サーバ３は、携帯端末５から、特典情報の配信条件を受け付け、当該配信条件に基づいて特典情報を携帯端末５に送信する点で第１の実施形態と異なる。このようにすることで、通信制御サーバ３は、携帯端末５のユーザが必要とする特典情報のみを、当該携帯端末５に付与することができる。
【００７５】
図７は、第４の実施形態に係る携帯端末５及びテレビ受信機６の機能構成を示すブロック図である。
第４の実施形態において、携帯端末５の制御部５４は、配信条件受付部５４３をさらに備える。
【００７６】
配信条件受付部５４３は、携帯端末５のユーザから、特典情報の配信条件を受け付ける。ここで、配信条件は、例えば、ユーザの趣味や、ユーザが行動する地域やユーザが訪問したい地域を示す属性情報である。配信条件受付部５４３は、配信条件を受け付けると、当該配信条件と携帯端末５の識別情報とを通信制御サーバ３に送信する。
【００７７】
通信制御サーバ３の受信部３３２は、携帯端末５から、配信条件と携帯端末５の識別情報とを受信すると、これらの情報を関連付けて配信条件情報として記憶部３２に記憶させる。これにより、記憶部３２には、携帯端末５のユーザごとの特典情報の配信条件が記憶される。
【００７８】
図８は、記憶部３２に記憶されている配信条件情報の一例を示す図である。図８に示すように、携帯端末５の識別情報に関連付けて、配信条件を示す情報が関連付けて記憶されている。例えば、識別情報「００１」に対応する配信条件「映画  ｏｒ  グルメ」は、特典情報に対応する属性情報に、映画又はグルメのいずれかが含まれていることを条件に当該特典情報の配信を許可することを示している。また、識別情報「００４」に対応する配信条件「グルメ  ａｎｄ  東京」は、特典情報に対応する属性情報に、グルメ及び東京の双方が含まれていることを条件に当該特典情報の配信を許可することを示している。
【００７９】
送信部３３５は、視聴数計数部３３４が計数した視聴数が所定数を超えたことに応じて、連携アプリケーションを実行した携帯端末５のうち、特典情報の配信条件を満たしているユーザの携帯端末５に、当該特典情報を送信する。具体的には、送信部３３５は、視聴数計数部３３４が計数した視聴数が所定数を超えると、連携アプリケーションを実行した携帯端末５に送信する特典情報に対応する属性情報を特定する。そして、送信部３３５は、記憶部３２に記憶されている携帯端末５のユーザごとの配信条件を参照し、特定した特典情報の配信を受け付ける携帯端末５の識別情報を特定する。例えば、特典情報に対応する属性情報が「グルメ」である場合、識別情報「００１」、「００３」が特定される。送信部３３５は、特定した識別情報の携帯端末５に特典情報を送信する。
【００８０】
［第４の実施形態における効果］
以上のとおり、第４の実施形態に係る通信制御サーバ３は、特典情報の配信条件を満たしているユーザの携帯端末５に、当該特典情報を送信するので、携帯端末５のユーザが希望する特典情報を付与することができる。
【００８１】
＜第５の実施形態＞
続いて、第５の実施形態について説明する。第５の実施形態では、通信制御サーバ３は、特典情報として、携帯端末５のユーザ及び放送コンテンツと関連付けられる特典情報を付与する点で第１の実施形態と異なる。このようにすることで、特典情報の提供者は、携帯端末５のユーザが閲覧した放送コンテンツの内容に基づいて、当該ユーザの属性を決定したり、当該ユーザの傾向を分析したりすることができる。
【００８２】
第５の実施形態において、送信部３３５は、視聴数計数部３３４が計数した視聴数が所定数を超えたことに応じて、連携アプリケーションを実行した携帯端末５に、携帯端末５のユーザの情報と、連携アプリケーションに対応する放送コンテンツを識別する識別情報と関連付けられる特典情報を送信する。ここで、特典情報が示す特典の内容は、例えば、携帯端末５の通信事業者が提供するポイントサービスのポイントである。送信部３３５は、当該ポイントを付与するためのページを通知する。本実施形態において、当該ポイントは、通信制御サーバ３が付与するものとするが、他の外部装置がポイントを付与してもよい。
【００８３】
図９は、特典情報としてのポイントを付与するためのページ画面の一例を示す図である。図９では、「１０ポイントを取得する」というボタンが表示されており、このボタンには、通信制御サーバ３にアクセスするためのＵＲＬが関連付けられている。そして、このＵＲＬには、例えば、パラメータとして連携アプリケーションに関連する放送コンテンツを識別する識別情報が含まれている。
【００８４】
携帯端末５のユーザが当該ボタンを押すと、携帯端末５は通信制御サーバ３にアクセスする。通信制御サーバ３は、携帯端末５のユーザにポイントを付与する。具体的には、通信制御サーバ３の制御部３３は、記憶部３２に、携帯端末５のユーザの識別情報としてのユーザＩＤと、ポイントと、ポイントを付与した日時と、ユーザが視聴した放送コンテンツの識別情報とを関連付けてポイント管理情報として記憶する。図１０は、携帯端末５のユーザに付与されるポイントを管理するポイント管理情報を示す図である。図１０に示すように、携帯端末５のユーザＩＤに、ポイント及び閲覧した放送コンテンツの識別情報が関連付けられていることが確認できる。
【００８５】
［第５の実施形態における効果］
以上のとおり、第５の実施形態に係る通信制御サーバ３は、携帯端末５のユーザＩＤと、連携アプリケーションに対応する放送コンテンツを識別する識別情報と関連付けられる特典情報を送信するので、特典情報の提供者は、携帯端末５のユーザが閲覧した放送コンテンツの内容に基づいて、当該ユーザの属性や当該ユーザの傾向を分析したりすることができる。
【００８６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
【符号の説明】
【００８７】
１・・・放送コンテンツサーバ、２・・・Ｗｅｂコンテンツサーバ、３・・・通信制御サーバ、３１・・・通信部、３２・・・記憶部、３３・・・制御部、３３１・・・アプリ送信部、３３２・・・受信部、３３３・・・通知部、３３４・・・視聴数計数部、３３５・・・送信部、４・・・ＳＮＳサーバ、５・・・携帯端末、５１・・・無線部、５２・・・表示部、５３・・・記憶部、５４・・・制御部、５４１・・・実行部、５４２・・・レコメンド受付部、５４３・・・配信条件受付部、６・・・テレビ受信機、６１・・・無線部、６２・・・記憶部、６３・・・通信部、６４・・・制御部、７・・・ディスプレイ、８・・・ネットワーク、９・・・基地局
【図１】
2015188176.tif 000003
【図２】
2015188176.tif 000004
【図３】
2015188176.tif 000005
【図４】
2015188176.tif 000006
【図５】
2015188176.tif 000007
【図６】
2015188176.tif 000008
【図７】
2015188176.tif 000009
【図８】
2015188176.tif 000010
【図９】
2015188176.tif 000011
【図１０】
2015188176.tif 000012